(57)【要約】 【課題】  本発明は、株価、為替又は商品先物等の相場の変動を示すチャートに関して、高値と安値の時間的位置関係を一見して把握することができるようにした市場分析用チャートを提供することを目的とするものである。【解決手段】  本発明は、長方形状の実体の中央上下に縦棒状の上影及び下影を設け、前記実体の色を白抜きにした陽線のロウソク足及び前記実体の色を黒塗りにした陰線のロウソク足を、時系列に配置することにより市場価格の始値、終値、高値及び安値を見ることのできるチャートであり、前記上影及び下影の先端を左側又は右側に直角に折り曲げることにより高値の時間的位置関係及び安値の時間的位置関係を表現したことを特徴とする市場分析用チャートの構成とした。【選択図】  図１
2006072923.tif 000002
【特許請求の範囲】
【請求項１】
長方形状の実体の中央上下に縦棒状の上影及び下影を設け、前記実体の色を白抜きにした陽線のロウソク足及び前記実体の色を黒塗りにした陰線のロウソク足を、時系列に配置することにより市場価格の始値、終値、高値及び安値を見ることのできるチャートであり、前記上影及び下影の先端を左側又は右側に直角に折り曲げることにより高値の時間的位置関係及び安値の時間的位置関係を表現したことを特徴とする市場分析用チャート。
【請求項２】
時系列を年、四半期、月、週、日、時、分、秒単位としたことを特徴とする請求項１に記載の市場分析用チャート。
【請求項３】
陽線のロウソク足と陰線のロウソク足とが、実体の色を変える又は塗り潰しパターンを変えることにより区別されることを特徴とする請求項１又は請求項２に記載の市場分析用チャート。
【請求項４】
時間的位置関係が、上影と下影を異なる方向に傾ける、上影と下影を異なる色若しくは異なる線種にする又は実体の色若しくは塗り潰しパターンを変えることにより表現されることを特徴とする請求項１、請求項２又は請求項３に記載の市場分析用チャート。
【請求項５】
陽線のロウソク足を陽線のバーチャートに代え、陰線のロウソク足を陰線のバーチャートに代えたことを特徴とする請求項１、請求項２、請求項３又は請求項４に記載の市場分析用チャート。
【請求項６】
チャートが、インターネットを介して、クライアントのコンピュータからの要求に対し、サーバの中央演算処理装置がデータベースから情報を取得して処理した結果を返送することで、クライアントのコンピュータに表示される一連の手段により実現されることを特徴とする請求項１、請求項２、請求項３、請求項４又は請求項５に記載の市場分析用チャート。
【発明の詳細な説明】
【技術分野】
【０００１】
本発明は、株価、為替又は商品先物等の相場の変動を予測するための市場分析用チャートに関する発明である。
【背景技術】
【０００２】
株価、為替又は商品先物等の取引において、始値、終値、高値及び安値等の相場情報を把握することは重要であり、相場情報をグラフ化した市場分析用チャートとして、ロウソク足チャートやバーチャート等がある。
【０００３】
図９は、従来のロウソク足チャートを示す図であり、図１０は、従来のバーチャートを示す図である。ロウソク足チャート及びバーチャートは、価格変動を時系列で表したものであり、投資家や証券業者が市場動向を予測する際に利用している。
【０００４】
図９に示すように、ロウソク足チャート１３は、縦軸に価格３ａ、横軸に時間３ｂを取り、単位時間ごとに陽線のロウソク足１４又は陰線のロウソク足１４ａを配置したグラフである。尚、時間３ｂは、年、四半期、月、週、日、時、分又は秒などの単位に変更することができる。
【０００５】
陽線のロウソク足１４及び陰線のロウソク足１４ａは、長方形状の実体１５の中央上下に縦棒状の上影１６及び下影１７を設けた形状である。尚、実体１５は肉、上影１６又は下影１７はひげと称されることもある。
【０００６】
陽線のロウソク足１４は、実体１５が一般的に白であり、始値１５ａよりも終値１５ｂが高い場合に使用する。また、陰線のロウソク足１４ａは、実体１５が一般的に黒であり、始値１５ａよりも終値１５ｂが低い場合に使用する。尚、実体１５の色は、陽線のロウソク足１４及び陰線のロウソク足１４ａ共に変更する場合もある。
【０００７】
陽線のロウソク足１４の場合、実体１５の下辺が始値１５ａとなり、上辺が終値１５ｂとなる。また、陰線のロウソク足１４ａの場合、実体１５の上辺が始値１５ａとなり、下辺が終値１５ｂとなる。更に、上影１６の上端が高値１６ａとなり、下影１７の下端が安値１７ａとなる。
【０００８】
陽線のロウソク足１４又は陰線のロウソク足１４ａは、時間３ｂごとに始値１５ａ、終値１５ｂ、高値１６ａ及び安値１７ａの価格３ａを示すように配置される。実体１５の高さや上影１６又は下影１７の長さなどから、市場価格の変動を予測することができる。
【０００９】
その他に、始値１５ａと終値１５ｂが同値で、実体１５の高さがない同時線となる場合や、高値１６ａと始値１５ａ又は終値１５ｂが同値で上影１６がなくなる場合や、安値１７ａと始値１５ａ又は終値１５ｂが同値で下影１７がなくなる場合もある。
【００１０】
図１０に示すように、バーチャート１８は、縦軸に価格３ａ、横軸に時間３ｂを取り、単位時間ごとに陽線のバーチャート１９又は陰線のバーチャート１９ａを配置したグラフである。尚、ロウソク足チャート１３と同様、時間３ｂは、年、四半期、月、週、日、時、分又は秒などの単位に変更することができる。
【００１１】
陽線のバーチャート１９及び陰線のバーチャート１９ａは、縦棒状の実体１５を始値１５ａの位置で直角に左に折り曲げ、終値１５ｂの位置で直角に右に折り曲げた形状で、上の折り曲げ位置には縦棒状の上影１６を設け、下の折り曲げ位置には縦棒状の下影１７を設ける。
【００１２】
陽線のバーチャート１９は、始値１５ａよりも終値１５ｂが高い場合であり、実体１５の下部が左に曲がり、上部が右に曲がる。また、陰線のバーチャート１９ａは、始値１５ａよりも終値１５ｂが低い場合であり、実体１５の上部が左に曲がり、下部が右に曲がる。更に、上影１６の上端が高値１６ａとなり、下影１７の下端が安値１７ａとなる。
【００１３】
陽線のバーチャート１９及び陰線のバーチャート１９ａも、時間３ｂごとに始値１５ａ、終値１５ｂ、高値１６ａ及び安値１７ａの価格３ａを示すように配置される。実体１５の高さや上影１６又は下影１７の長さなどから、市場価格の変動を予測することができる。
【００１４】
その他に、始値１５ａと終値１５ｂが同値で、実体１５の高さがない同時線となる場合や、高値１６ａと始値１５ａ又は終値１５ｂが同値で上影１６がなくなる場合や、安値１７ａと始値１５ａ又は終値１５ｂが同値で下影１７がなくなる場合があるのは、ロウソク足チャート１３と同様である。
【００１５】
特許文献１、特許文献２又は特許文献３に記載の発明のように、一定期間内において、どの価格帯でどれだけ活発に取引されたかを一見して分かるようにした金融市場における活動をグラフ化する方法という発明等も公開されている。
【特許文献１】特開２００２−１８３４６５号公報
【特許文献２】特開２００２−０９２３２９号公報
【特許文献３】特開平０８−０８７５５０号公報
【発明の開示】
【発明が解決しようとする課題】
【００１６】
しかしながら、一般的に使用されているロウソク足チャートやバーチャートでは、高値と安値の数値は把握できるが、高値と安値のどちらが先に記録されたかなど時間的位置関係までを把握することはできない。
【００１７】
そこで、本発明は、株価、為替又は商品先物等の相場の変動を示すチャートに関して、高値と安値の時間的位置関係を一見して把握することができるようにした市場分析用チャートを提供することを目的とするものである。
【課題を解決するための手段】
【００１８】
本発明は、上記の課題を解決するために、長方形状の実体５の中央上下に縦棒状の上影６及び下影７を設け、前記実体５の色を白抜きにした陽線のロウソク足４ａ、４ｂ、４ｃ及び前記実体５の色を黒塗りにした陰線のロウソク足４ｅ、４ｆ、４ｇを、時系列に配置することにより市場価格の始値５ａ、終値５ｂ、高値６ａ及び安値７ａを見ることのできるチャート３であり、前記上影６及び下影７の先端を左側又は右側に直角に折り曲げることにより高値の時間的位置関係６ｂ及び安値の時間的位置関係７ｂを表現したことを特徴とする市場分析用チャート１の構成とした。
【発明の効果】
【００１９】
本発明は、以上の構成であるから以下の効果が得られる。第１に、高値及び安値の時間的位置関係を一見して把握することができるようになる。始値、終値、高値及び安値だけでなく、高値及び安値の時間的位置関係を把握することが、市場価格の変動を予測する上では重要である。
【００２０】
第２に、単位期間内における市場価格の変動を視覚的に、かつ詳細に把握することができるため、高度な市場分析用ツールを使用していない一般投資家や初心者であっても、市場価格の変動を容易に予測することができる。
【００２１】
第３に、従来のチャートパターンを、より詳細に分類し分析することができるので、一般投資家や初心者だけでなく、投資の熟練者や専門家に至るまで、相場の転換点や買い時又は売り時等について、より確実な予測が可能となる。
【発明を実施するための最良の形態】
【００２２】
高値と安値のどちらが先に記録されたかなどを把握するために、ロウソク足の上影及び下影に向きを与えることで、時間的位置関係を表現した。
【実施例１】
【００２３】
以下に、添付図面に基づいて、本発明である市場分析用チャートについて詳細に説明する。図１は、本発明である市場分析用チャートをロウソク足により示す図である。
【００２４】
市場分析用チャート１は、長方形状の実体５の中央上下に縦棒状の上影６及び下影７を設け、前記実体５の色を白抜きにした陽線のロウソク足４ａ、４ｂ、４ｃ及び前記実体５の色を黒塗りにした陰線のロウソク足４ｅ、４ｆ、４ｇを、時系列に配置することにより市場価格の始値５ａ、終値５ｂ、高値６ａ及び安値７ａを見ることのできるチャート３であり、前記上影６及び下影７の先端を左側又は右側に直角に折り曲げることにより高値の時間的位置関係６ｂ及び安値の時間的位置関係７ｂを表現したことを特徴とする。
【００２５】
市場分析用チャート１は、縦軸に価格３ａ及び横軸に時間３ｂを取り、単位時間ごとにロウソク足４を配置したチャート３であり、価格変動を時系列で表現してあり、視覚的に分かりやすく確認することができる。
【００２６】
市場分析用チャート１は、銘柄ごとに作成されるが、価格３ａは、銘柄ごとに表示するのに適した範囲及び幅に設定することができる。図１では、範囲が３００円から８００円であり、幅が１００円単位であるが、価格３ａの範囲及び幅は、自由に変更することができる。
【００２７】
また、図１においては、時間３ｂは年単位に区切られ、一つのロウソク足４が一ヶ月分を表しているが、時間３ｂの時系列は、年、四半期、月、週、日、時、分、秒などの単位に、自由に変更して表示することができる。
【００２８】
一つのロウソク足４からは、市場価格の始値５ａ、終値５ｂ、高値６ａ及び安値７ａの各情報を得ることができ、複数のロウソク足４を並べることにより、一定期間における市場価格の変動を把握することができる。
【００２９】
例えば、図１に示すように、一つのロウソク足４が一ヶ月分を表している場合、一ヶ月における始値５ａ、終値５ｂ、高値６ａ及び安値７ａが示され、１２ヶ月分並べることにより、一年における市場価格の変動が分かる。
【００３０】
また、一つのロウソク足４が一日分を表すようにした場合、一日における始値５ａ、終値５ｂ、高値６ａ及び安値７ａが示され、７日分並べることにより、一週間における市場価格の変動が分かる。
【００３１】
市場分析用チャート１では、高値の時間的位置関係６ｂ及び安値の時間的位置関係７ｂも示されているため、一つのロウソク足４の中で高値と安値のどちらが先に記録されたかについても把握することができる。
【００３２】
図２は、本発明である市場分析用チャートの陽線及び同時線のロウソク足を示す図であり、図３は、本発明である市場分析用チャートの陰線及び四値同時線のロウソク足を示す図である。
【００３３】
図２のロウソク足４のうち、符号４ａ、４ｂ、４ｃが陽線のロウソク足であり、符号４ｄが同時線のロウソク足であり、図３のロウソク足４のうち、符号４ｅ、４ｆ、４ｇが陰線のロウソク足であり、符号４ｈが四値同時線のロウソク足である。
【００３４】
陽線のロウソク足４ａ、４ｂ及び陰線のロウソク足４ｅ、４ｆは、長方形状の実体５の中央上下に縦棒状の上影６及び下影７を設けた形状であり、陽線のロウソク足４ｃ及び陰線のロウソク足４ｇは、実体５のみで上影６及び下影７が存在しない。
【００３５】
同時線のロウソク足４ｄは、上影６及び下影７は存在するが、実体５の高さがない状態であり、四値同時線のロウソク足４ｈは、実体５の高さがなく、上影６及び下影７も存在しない。
【００３６】
陽線のロウソク足４ａ、４ｂ、４ｃは、実体５の色が白抜きであり、始値５ａよりも終値５ｂが高い場合に使用する。また、陰線のロウソク足４ｅ、４ｆ、４ｇは、実体５の色が黒塗りであり、始値５ａよりも終値５ｂが低い場合に使用する。
【００３７】
実体５からは、始値５ａ及び終値５ｂを得ることができる。陽線のロウソク足４ａ、４ｂ、４ｃの場合は、実体５の下辺が始値５ａとなり、上辺が終値５ｂとなり、陰線のロウソク足４ｅ、４ｆ、４ｇの場合は、実体５の上辺が始値５ａとなり、下辺が終値５ｂとなる。同時線のロウソク足４ｄ及び四値同時線のロウソク足４ｈの場合は、始値５ａと終値５ｂが同値である。
【００３８】
上影６及び下影７からは、高値６ａ及び安値７ａを得ることができる。上影６の先端が高値６ａを示し、下影７の先端が安値７ａを示す。尚、高値６ａと始値５ａ又は終値５ｂが同値になる場合は、上影６は無くなり、安値７ａと始値５ａ又は終値５ｂが同値になる場合は下影７は無くなる。
【００３９】
図２及び図３において、陽線のロウソク足４ａ、４ｂ、陰線のロウソク足４ｅ、４ｆ又は同時線のロウソク足４ｄは、上影６又は下影７が共に存在するが、上影６又は下影７のいずれかが存在しない状態になる場合もある。
【００４０】
上影６の先端は、左側又は右側に直角に折り曲げてあり、高値の時間的位置関係６ｂを把握することができる。同様に、下影７の先端は、左側又は右側に直角に折り曲げてあり、安値の時間的位置関係７ｂを把握することができる。
【００４１】
高値の時間的位置関係６ｂが左側で、安値の時間的位置関係７ｂが右側である場合は、高値６ａが安値７ａよりも先に記録されたことを示し、高値の時間的位置関係６ｂが右側で、安値の時間的位置関係７ｂが左側である場合は、安値７ａが高値６ａよりも先に記録されたことを示す。
【００４２】
尚、上影６又は下影７のどちらか一方がない場合は、高値６ａ又は安値７ａの片方しかなく、高値及び安値の時間的位置関係６ｂ、７ｂを比較する必要はないため、他方の影は左右に曲げても曲げなくてもどちらでも良い。
【００４３】
陽線のロウソク足４ａの場合、高値の時間的位置関係６ｂが右側で、安値の時間的位置関係７ｂが左側であるため、価格変動３ｃは、始値５ａである実体５の下辺の位置から始まり、安値７ａを記録した後、高値６ａを記録し、終値５ｂである実体５の上辺の位置で終わる。
【００４４】
陽線のロウソク足４ｂの場合、高値の時間的位置関係６ｂが左側で、安値の時間的位置関係７ｂが右側であるため、価格変動３ｃは、始値５ａである実体５の下辺の位置から始まり、高値６ａを記録した後、安値７ａを記録し、終値５ｂである実体５の上辺の位置で終わる。
【００４５】
陽線のロウソク足４ｃの場合、価格変動３ｃは、始値５ａである実体５の下辺の位置から始まり、終値５ｂである実体５の上辺の位置で終わる。始値５ａと安値７ａが同値で、終値５ｂと高値６ａが同値となる。
【００４６】
同時線のロウソク足４ｄの場合、高値の時間的位置関係６ｂが右側で、安値の時間的位置関係７ｂが左側であるため、価格変動３ｃは、始値５ａから始まり、安値７ａを記録した後、高値６ａを記録し、終値５ｂが始値５ａと同じ位置で終わる。
【００４７】
陰線のロウソク足４ｅの場合、高値の時間的位置関係６ｂが左側で、安値の時間的位置関係７ｂが右側であるため、価格変動３ｃは、始値５ａである実体５の上辺の位置から始まり、高値６ａを記録した後、安値７ａを記録し、終値５ｂである実体５の下辺の位置で終わる。
【００４８】
陰線のロウソク足４ｆの場合、高値の時間的位置関係６ｂが右側で、安値の時間的位置関係７ｂが左側であるため、価格変動３ｃは、始値５ａである実体５の上辺の位置から始まり、安値７ａを記録した後、高値６ａを記録し、終値５ｂである実体５の下辺の位置で終わる。
【００４９】
陰線のロウソク足４ｇの場合、価格変動３ｃは、始値５ａである実体５の上辺の位置から始まり、終値５ｂである実体５の下辺の位置で終わる。始値５ａと高値６ａが同値で、終値５ｂと安値７ａが同値となる。
【００５０】
四値同時線のロウソク足４ｈの場合、価格変動３ｃは、始値５ａから始まり、変動が全くないまま、終値５ｂが始値５ａと同じ位置で終わる。始値５ａ、終値５ｂ、高値６ａ及び安値７ａが全て同値となる。
【００５１】
高値の時間的位置関係６ｂと安値の時間的位置関係７ｂとは、どちらが先かを示すため、必ず逆方向となる。また、高値６ａと安値７ａの時間的位置関係を示すだけであり、図２及び図３に示す価格変動３ｃのように滑らかな曲線になるとは限らない。
【００５２】
実体５の高さ、上影６及び下影７の長さは、始値５ａ、終値５ｂ、高値６ａ及び安値７ａの状態により変動するが、高値の時間的位置関係６ｂ及び安値の時間的位置関係７ｂについては、向きを示すだけであるため、長さは特に規定はしない。
【実施例２】
【００５３】
図４は、本発明である市場分析用チャートの形状等を変えたロウソク足を示す図である。ロウソク足４は、図２又は図３に示した以外の形状又は色を使用した場合でも、同様の表現をすることができる。
【００５４】
陽線のロウソク足９又は陰線のロウソク足９ａでは、上影１１及び下影１２を異なる方向に傾けることにより時間的位置関係を表現し、陽線のロウソク足９ｂ又は陰線のロウソク足９ｃでは、上影１１及び下影１２を異なる線種にすることにより時間的位置関係を表現する。尚、上影１１の上端が高値１１ａを示し、下影１２の下端が安値１２ａを示すのは同様である。
【００５５】
上影１１及び下影１２を斜線にしても、上影１１又は下影１２の高さを得ることができ、また、左側又は右側のどちらに傾いているかで、高値１１ａと安値１２ａのどちらが先に記録されたかも分かる。
【００５６】
同様に、上影１１及び下影１２の線種を変えても、上影１１又は下影１２の高さを得ることができ、また、点線の場合が先で、実線の場合が後のように決めておけば、高値１１ａと安値１２ａのどちらが先に記録されたかも分かる。
【００５７】
また、陽線のロウソク足９、９ｂと陰線のロウソク足９ａ、９ｃとを、実体１０の色を変える又は塗り潰しパターンを変えることにより区別することができる。尚、陽線のロウソク足９、９ｂの場合は、下辺が始値１０ａ、上辺が終値１０ｂを示し、陰線のロウソク足９ａ、９ｃの場合は、上辺が始値１０ａ、下辺が終値１０ｂを示すのは同様である。
【００５８】
例えば、陽線のロウソク足９の実体１０を点で塗り潰し、陰線のロウソク足９ａの実体１０を斜線で塗り潰すことで、陽線のロウソク足９と陰線のロウソク足９ａとを区別する。また、陽線のロウソク足９ｂの実体１０を青色、陰線のロウソク足９ｃの実体１０を赤色にすることで、陽線のロウソク足９ｂと陰線のロウソク足９ｃとを区別する。
【００５９】
更に、実体１０の色を変える又は塗り潰しパターンを変えることにより、陽線のロウソク足９、９ｂと陰線のロウソク足９ａ、９ｃとの区別だけでなく、高値の時間的位置関係６ｂ及び安値の時間的位置関係７ｂを表現することもできる。
【００６０】
例えば、陽線のロウソク足９、９ｂの実体１０を薄い青色で塗った場合は、高値１１ａより安値１２ａが先に記録されたものとし、陽線のロウソク足９、９ｂの実体１０を濃い青色で塗った場合は、安値１２ａより高値１１ａが先に記録されたものとすることもできる。
【００６１】
また同様に、陰線のロウソク足９ａ、９ｃの実体１０を薄い赤色で塗った場合は、高値１１ａより安値１２ａが先に記録されたものとし、陰線のロウソク足９ａ、９ｃの実体１０を濃い赤色で塗った場合は、安値１２ａより高値１１ａが先に記録されたものとすることもできる。
【００６２】
陽線のロウソク足９の価格変動としては、上影１１が右側に傾き、下影１２が左側に傾いているので、始値１０ａである実体１０の下辺の位置から始まり、先に安値１２ａを記録し、その後高値１１ａを記録して、終値１０ｂである実体１０の上辺の位置で終わる。      
【００６３】
陰線のロウソク足９ａの価格変動としては、上影１１が左側に傾き、下影１２が右側に傾いているので、始値１０ａである実体１０の上辺の位置から始まり、先に高値１１ａを記録し、その後安値１２ａを記録して、終値１０ｂである実体１０の下辺の位置で終わる。
【００６４】
陽線のロウソク足９ｂの価格変動としては、上影１１が実線で、下影１２が点線であるので、始値１０ａである実体１０の下辺の位置から始まり、先に安値１２ａを記録し、その後高値１１ａを記録して、終値１０ｂである実体１０の上辺の位置で終わる。
【００６５】
陰線のロウソク足９ｃの価格変動としては、上影１１が点線で、下影１２が実線であるので、始値１０ａである実体１０の上辺の位置から始まり、先に高値１１ａを記録し、その後安値１２ａを記録して、終値１０ｂである実体１０の下辺の位置で終わる。
【実施例３】
【００６６】
図５は、本発明である市場分析用チャートをバーチャートにより示す図である。市場分析用チャート１ａは、市場分析用チャート１と同様、縦軸に価格３ａ及び横軸に時間３ｂを取り、単位時間ごとにバーチャート８を配置したチャート３である。
【００６７】
市場分析用チャート１ａは、市場分析用チャート１における陽線のロウソク足４ａ、４ｂ、４ｃを陽線のバーチャート８ａに代え、陰線のロウソク足４ｅ、４ｆ、４ｇを陰線のバーチャート８ｂに代えたものであり、視覚的に若干異なるが、示す内容は市場分析用チャート１と同じである。
【００６８】
陽線のバーチャート８ａ及び陰線のバーチャート８ｂは、縦棒状の実体５を始値５ａの位置で直角に左に折り曲げ、終値５ｂの位置で直角に右に折り曲げた形状で、上の折り曲げ位置には縦棒状の上影６を設け、下の折り曲げ位置には縦棒状の下影７を設ける。尚、同時線又は四値同時線となる場合のバーチャート８は、ロウソク足４の場合と同じ形状になる。
【００６９】
陽線のバーチャート８ａは、始値５ａよりも終値５ｂが高い場合であり、実体５の下部が左の曲がり、上部が右に曲がる。また、陰線のバーチャート８ｂは、始値５ａよりも終値５ｂが低い場合であり、実体５の上部が左の曲がり、下部が右に曲がる。更に、上影６の上端が高値６ａとなり、下影７の下端が安値７ａとなる。
【００７０】
上影６の先端は、左側又は右側に直角に折り曲げてあり、高値の時間的位置関係６ｂを把握することができる。同様に、下影７の先端は、左側又は右側に直角に折り曲げてあり、安値の時間的位置関係７ｂを把握することができる。
【００７１】
陽線のバーチャート８ａの場合、高値の時間的位置関係６ｂが左側で、安値の時間的位置関係７ｂが右側であるため、価格変動は、図２の陽線のロウソク足４ｂと同様、始値５ａである実体５の下辺の位置から始まり、高値６ａを記録した後、安値７ａを記録し、終値５ｂである実体５の上辺の位置で終わる。
【００７２】
陰線のバーチャート８ｂの場合、高値の時間的位置関係６ｂが右側で、安値の時間的位置関係７ｂが左側であるため、価格変動は、図３の陰線のロウソク足４ｆと同様、始値５ａである実体５の上辺の位置から始まり、安値７ａを記録した後、高値６ａを記録し、終値５ｂである実体５の下辺の位置で終わる。
【実施例４】
【００７３】
図６は、本発明である市場分析用チャートのシステムの構成を示す概要図であり、図７は、本発明である市場分析用チャートのコンピュータの構成を示すブロック図であり、図８は、本発明である市場分析用チャートの流れを示すフローチャートである。
【００７４】
市場分析用チャート１におけるチャート３は、インターネット２０を介して、クライアント２２のコンピュータからの要求２３に対し、サーバ２１の中央演算処理装置２０ａがデータベース２１ａから情報を取得して処理２４した結果を返送２５することで、クライアント２２のコンピュータに表示２６される一連の手段により実現されることを特徴とする。
【００７５】
図６に示すように、市場分析用チャート１のシステムの構成２は、市場分析用チャート１を提供するサーバ２１のコンピュータと、市場分析用チャート１を利用する複数のクライアント２２のコンピュータをインターネット２０を介して接続したものとなる。
【００７６】
インターネット２０は、複数のコンピュータネットワークを相互に接続して、全体として一つのネットワークを構築したものであり、インターネット技術を利用した組織内ネットワーク（イントラネット）なども含むものとする。
【００７７】
サーバ２１のコンピュータは、データベース２１ａを有し、データベース２１ａに蓄積される市場価格の情報はリアルタイムに更新される。また、市場分析用チャート１自体も存在し、データベース２１ａの情報を元に処理２４が行われる。
【００７８】
クライアント２２のコンピュータは、一般的なコンピュータを利用することができ、市場分析用チャート１がブラウザにより表示２６される。尚、ブラウザとは、インターネット上の情報を閲覧するためのソフトウェアであり、専用のソフトウェアを利用して表示する場合も含むものとする。
【００７９】
サーバ２１は、クライアント２２を兼ねることも可能であり、一台のコンピュータだけで使用する場合は、インターネット２０を介することなく、市場分析用チャート１を利用することもできる。
【００８０】
市場分析用チャート１の流れは、クライアント２２からの要求２３、サーバ２１における処理２４、サーバ２１からの返送２５及びクライアント２２における表示２６の手段からなるが、詳細は図８において説明する。
【００８１】
図７に示すように、サーバ２１のコンピュータもクライアント２２のコンピュータも、一般的なコンピュータと同様、中央演算処理装置２０ａ、記憶装置２０ｂ、入出力装置２０ｃ及びインタフェース２０ｄ等からなる。
【００８２】
中央演算処理装置２０ａ（ＣＰＵ）は、記憶装置２０ｂにあるデータに対して演算処理をしたり、プログラムの実行制御を行う。また、インタフェース２０ｄを介して、入出力装置２０ｃなど他の装置に対する制御も行う。
【００８３】
記憶装置２０ｂには、作業領域となる主記憶装置と保存領域となる補助記憶装置とがある。主記憶装置は、一時的な記憶領域であり、実行するプログラムやデータなどを読み込んだり、作成した市場分析用チャート１を一時保存したりする。
【００８４】
補助記憶装置は、ハードディスク等であり、市場分析用チャート１を実行するために必要となるプログラムやデータなどが保存される。サーバ２１の側には、市場価格の情報を蓄積するデータベース２１ａも存在する。
【００８５】
入出力装置２０ｃのうち、入力装置は、キーボードやマウス等であり、出力装置は、ディスプレイやプリンタ等である。入出力装置２０ｃは、通常外部機器を使用するため、インタフェース２０ｄを介して制御される。
【００８６】
インタフェース２０ｄは、コンピュータ同士又はコンピュータと周辺機器を接続し、データなどのやり取りを行う装置である。サーバ２１及びクライアント２２は、モデムやローカルエリアネットワーク（ＬＡＮ）などのインタフェース２０ｄを利用して、インターネット２０に接続する。
【００８７】
入出力装置２０ｃから入力したデータを記憶装置２０ｂに保存したり、記憶装置２０ｂのデータを入出力装置２０ｃから出力する際は、中央演算処理装置２０ａがインタフェース２０ｄを介して、各装置を制御することにより行われる。
【００８８】
図８に示すように、市場分析用チャート１の流れは、クライアント２２からの要求２３、サーバ２１における処理２４、サーバ２１からの返送２５及びクライアント２２における表示２６の手段からなる。
【００８９】
処理２４は、更に、要求受付２４ａ、データ取得２４ｂ、要素計算２４ｃ及び画面情報作成２４ｄの手段からなり、表示２６は、更に、画面情報取得２６ａ、ブラウザ表示２６ｂ及び更新要求２６ｃの手段からなる。
【００９０】
要求２３では、市場分析用チャート１を表示するのに必要な条件を指定して、サーバ２１に送る。指定する条件としては、対象とする銘柄、一つのロウソク足４が示す単位時間又は全体として表示する期間などがある。
【００９１】
要求受付２４ａでは、クライアント２２から出された要求２３を、サーバ２１で受け取る。サーバ２１に対し、クライアント２２は複数存在するが、同時に要求２３を受けても各々に対して処理２４をすることができる。
【００９２】
データ取得２４ｂでは、要求２３で指定した条件に合うデータをデータベース２１ａから抽出する。データは市場価格に関する情報であり、全体として表示する期間内の価格を全て取得しておく。
【００９３】
要素計算２４ｃでは、取得したデータに対し、必要に応じて計算を行う。市場価格の情報は、一定時間ごとにデータベース２１ａに蓄積されていくので、一つのロウソク足４が示す単位時間内のデータを集計して高値６ａ又は安値７ａなどを算出する。
【００９４】
画面情報作成２４ｄでは、要素計算２４ｃした結果を視覚的に表現するために編集し、ブラウザに対応した形式で市場分析用チャート１を作成する。チャート３は、価格３ａ及び時間３ｂを最適な範囲とし、ロウソク足４を配置する。
【００９５】
返送２５では、サーバ２１において作成した市場分析用チャート１を、要求２３を出したクライアント２２に送り返す。要求２３に対して返送２５を行うため、別のクライアント２２にも返送２５されるということはない。
【００９６】
画面情報取得２６ａでは、サーバ２１から返送２５された市場分析用チャート１を、クライアント２２で受け取る。尚、要求２３から表示２６までは一連の手順であるため、表示２６を行うためには、要求２３を行ったブラウザが起動していることが必要である。
【００９７】
ブラウザ表示２６ｂでは、市場分析用チャート１をクライアント２２の画面に出力する。尚、要求２３で条件に不備があった場合、又は処理２４で異常終了した場合には、その旨を示す内容を出力する。
【００９８】
更新要求２６ｃでは、一定時間ごとに要求２３で指定したのと同じ条件で処理２４をし直し、表示２６を最新の状態に更新する。市場価格の情報は常に最新のものであることが望ましいためである。
【００９９】
要求２３、処理２４、返送２５及び表示２６の各手段を、図７のコンピュータの構成と併せて説明する。尚、表示２６の手段における更新要求２６ｃは、要求２３の手段と同様の内容となる。
【０１００】
要求２３の手段は、クライアント２２の入出力装置２０ｃから入力した条件を、クライアント２２の中央演算処理装置２０ａがクライアント２２のインタフェース２０ｄからインターネット２０を介してサーバ２１に送ることにより実現される。
【０１０１】
処理２４の手段は、サーバ２１のインタフェース２０ｄから受け取った要求２３を元に、サーバ２１の中央演算処理装置２０ａがサーバ２１の記憶装置２０ｂにあるデータベース２１ａを検索してデータを抽出し、更にサーバ２１の中央演算処理装置２０ａが演算処理して市場分析用チャート１を作成することにより実現される。
【０１０２】
返送２５の手段は、サーバ２１の記憶装置２０ｂに作成された市場分析用チャート１を、サーバ２１の中央演算処理装置２０ａがサーバ２１のインタフェース２０ｄからインターネット２０を介してクライアント２２に送ることにより実現される。
【０１０３】
表示２６の手段は、クライアント２２のインタフェース２０ｄから受け取った市場分析用チャート１を、クライアント２２の中央演算処理装置２０ａがクライアント２２の入出力装置２０ｃに出力することにより実現される。
【０１０４】
以上のように、本発明である市場分析用チャート１は、高値及び安値の時間的位置関係６ｂ、７ｂを一見して把握することができるようになる。始値５ａ、終値５ｂ、高値６ａ及び安値７ａだけでなく、高値及び安値の時間的位置関係６ｂ、７ｂを把握することが、市場価格の変動を予測する上では重要である。
【０１０５】
また、単位期間内における市場価格の変動を視覚的に、かつ詳細に把握することができるため、高度な市場分析用ツールを使用していない一般投資家や初心者であっても、市場価格の変動を容易に予測することができる。
【０１０６】
更に、従来のチャートパターンを、より詳細に分類し分析することができるので、一般投資家や初心者だけでなく、投資の熟練者や専門家に至るまで、相場の転換点や買い時又は売り時等について、より確実な予測が可能となる。
【図面の簡単な説明】
【０１０７】
【図１】本発明である市場分析用チャートをロウソク足により示す図である。
【図２】本発明である市場分析用チャートの陽線及び同時線のロウソク足を示す図である。
【図３】本発明である市場分析用チャートの陰線及び四値同時線のロウソク足を示す図である。
【図４】本発明である市場分析用チャートの形状等を変えたロウソク足を示す図である。
【図５】本発明である市場分析用チャートをバーチャートにより示す図である。
【図６】本発明である市場分析用チャートのシステムの構成を示す概要図である。
【図７】本発明である市場分析用チャートのコンピュータの構成を示すブロック図である。
【図８】本発明である市場分析用チャートの流れを示すフローチャートである。
【図９】従来のロウソク足チャートを示す図である。
【図１０】従来のバーチャートを示す図である。
【符号の説明】
【０１０８】
１        市場分析用チャート
１ａ      市場分析用チャート
２        構成
３        チャート
３ａ      価格
３ｂ      時間
３ｃ      価格変動
４        ロウソク足
４ａ      陽線のロウソク足
４ｂ      陽線のロウソク足
４ｃ      陽線のロウソク足
４ｄ      同時線のロウソク足
４ｅ      陰線のロウソク足
４ｆ      陰線のロウソク足
４ｇ      陰線のロウソク足
４ｈ      四値同時線のロウソク足
５        実体
５ａ      始値
５ｂ      終値
６        上影
６ａ      高値
６ｂ      高値の時間的位置関係
７        下影
７ａ      安値
７ｂ      安値の時間的位置関係
８        バーチャート
８ａ      陽線のバーチャート
８ｂ      陰線のバーチャート
９        陽線のロウソク足
９ａ      陰線のロウソク足
９ｂ      陽線のロウソク足
９ｃ      陰線のロウソク足
１０        実体
１０ａ      始値
１０ｂ      終値
１１        上影
１１ａ      高値
１２        下影
１２ａ      安値
１３        ロウソク足チャート
１４        陽線のロウソク足
１４ａ      陰線のロウソク足
１５        実体
１５ａ      始値
１５ｂ      終値
１６        上影
１６ａ      高値
１７        下影
１７ａ      安値
１８        バーチャート
１９        陽線のバーチャート
１９ａ      陰線のバーチャート
２０        インターネット
２０ａ      中央演算処理装置
２０ｂ      記憶装置
２０ｃ      入出力装置
２０ｄ      インタフェース
２１        サーバ
２１ａ      データベース
２２        クライアント
２３        要求
２４        処理
２４ａ      要求受付
２４ｂ      データ取得
２４ｃ      要素計算
２４ｄ      画面情報作成
２５        返送
２６        表示
２６ａ      画面情報取得
２６ｂ      ブラウザ表示
２６ｃ      更新要求
【図１】
2006072923.tif 000003
【図２】
2006072923.tif 000004
【図３】
2006072923.tif 000005
【図４】
2006072923.tif 000006
【図５】
2006072923.tif 000007
【図６】
2006072923.tif 000008
【図７】
2006072923.tif 000009
【図８】
2006072923.tif 000010
【図９】
2006072923.tif 000011
【図１０】
2006072923.tif 000012
【手続補正書】
【提出日】平成16年12月3日(2004.12.3)
【手続補正２】
【補正対象書類名】特許請求の範囲
【補正対象項目名】全文
【補正方法】変更
【補正の内容】
【特許請求の範囲】
【請求項１】
縦軸には価格を、横軸には年、四半期、月、週、日、時、分、秒単位の時間を取り、長方形状の実体の中央上下に縦棒状の上影及び下影を設け前記実体の色を白抜きにした陽線のロウソク足及び前記実体の色を黒塗りにした陰線のロウソク足を時系列に配置することにより市場価格の始値、終値、高値及び安値を示し、前記上影及び下影の先端を左側又は右側に直角に折り曲げることにより高値の時間的位置関係及び安値の時間的位置関係を表現した市場分析用チャートを保存するとともに市場価格の情報を蓄積するデータベースを有する記憶装置と、前記記憶装置にデータを入力したり出力したりする入出力装置と、前記記憶装置又は入出力装置と外部機器とのデータのやり取りを行うインタフェースと、前記記憶装置にあるデータの演算処理をするとともに前記記憶装置及び前記インタフェースの実行制御を行う中央処理装置とからなることを特徴とするサーバ。
【請求項２】
陽線のロウソク足及び陰線のロウソク足の上影と下影を異なる方向に傾けることにより高値の時間的位置関係及び安値の時間的位置関係を表現した市場分析用チャートであることを特徴とする請求項１に記載のサーバ。
【請求項３】
陽線のロウソク足及び陰線のロウソク足の上影と下影を異なる色若しくは異なる線種にすることにより高値の時間的位置関係及び安値の時間的位置関係を表現した市場分析用チャートであることを特徴とする請求項１に記載のサーバ。
【請求項４】
陽線のロウソク足と陰線のロウソク足とを実体の色又は塗り潰しパターンを変えることにより区別した市場分析用チャートであることを特徴とする請求項１に記載のサーバ。
【請求項５】
陽線のロウソク足及び陰線のロウソク足の実体の色又は塗り潰しパターンを変えることにより高値の時間的位置関係及び安値の時間的位置関係を表現した市場分析用チャートであることを特徴とする請求項１に記載のサーバ。
【請求項６】
縦軸には価格を、横軸には年、四半期、月、週、日、時、分、秒単位の時間を取り、
縦棒状の実体の上下に縦棒状の上影及び下影を設け、前記実体の上部を右に曲げ下部を左に曲げた陽線のバーチャート及び前記実体の上部を左に曲げ下部を右に曲げた陰線のバーチャートを、時系列に配置することにより市場価格の始値、終値、高値及び安値を示し、
前記上影及び下影の先端を左側又は右側に直角に折り曲げることにより高値の時間的位置関係及び安値の時間的位置関係を表現した市場分析用チャートであることを特徴とする
請求項１に記載のサーバ。
【請求項７】
請求項１乃至請求項６のサーバと、前記サーバで作成した市場分析用チャートを保存する記憶装置、前記記憶装置にデータを入力したり出力したりする入出力装置、前記記憶装置又は入出力装置と外部機器とのデータのやり取りを行うインタフェース、前記記憶装置にあるデータの演算処理又は前記記憶装置及びインタフェースの実行制御を行う中央処理装置からなるクライアントとをインターネットを介して接続することができることを特徴とする株価等の相場変動予測を可能にする市場分析用チャートを有する装置。  
【手続補正３】
【補正対象書類名】明細書
【補正対象項目名】００１８
【補正方法】変更
【補正の内容】
【００１８】
本発明は、上記の課題を解決するために、  縦軸には価格を、横軸には年、四半期、月、週、日、時、分、秒単位の時間を取り、長方形状の実体の中央上下に縦棒状の上影及び下影を設け前記実体の色を白抜きにした陽線のロウソク足及び前記実体の色を黒塗りにした陰線のロウソク足を時系列に配置することにより市場価格の始値、終値、高値及び安値を示し、前記上影及び下影の先端を左側又は右側に直角に折り曲げることにより高値の時間的位置関係及び安値の時間的位置関係を表現した市場分析用チャートを保存するとともに市場価格の情報を蓄積するデータベースを有する記憶装置と、前記記憶装置にデータを入力したり出力したりする入出力装置と、前記記憶装置又は入出力装置と外部機器とのデータのやり取りを行うインタフェースと、前記記憶装置にあるデータの演算処理をするとともに前記記憶装置及び前記インタフェースの実行制御を行う中央処理装置とからなることを特徴とするサーバの構成及びサーバと、前記サーバで作成した市場分析用チャートを保存する記憶装置、前記記憶装置にデータを入力したり出力したりする入出力装置、前記記憶装置又は入出力装置と外部機器とのデータのやり取りを行うインタフェース、前記記憶装置にあるデータの演算処理又は前記記憶装置及びインタフェースの実行制御を行う中央処理装置からなるクライアントとをインターネットを介して接続することができることを特徴とする株価等の相場変動予測を可能にする市場分析用チャートを有する装置の構成とした。
【手続補正４】
【補正対象書類名】明細書
【補正対象項目名】００７５
【補正方法】変更
【補正の内容】
【００７５】
図６に示すように、本願発明である市場分析用チャート１を有する株価等の相場変動予測を可能にする市場分析用チャートを有する装置２は、市場分析用チャート１を提供するサーバ２１のコンピュータと、市場分析用チャート１を利用する複数のクライアント２２のコンピュータをインターネット２０を介して接続したものとなる。
【手続補正５】
【補正対象書類名】明細書
【補正対象項目名】０１０７
【補正方法】変更
【補正の内容】
【０１０７】
【図１】本発明である株価等の相場変動予測を可能にする市場分析用チャートを有する装置の市場分析用チャートをロウソク足により示す図である。
【図２】本発明である株価等の相場変動予測を可能にする市場分析用チャートを有する装置の市場分析用チャートの陽線及び同時線のロウソク足を示す図である。
【図３】本発明である株価等の相場変動予測を可能にする市場分析用チャートを有する装置の市場分析用チャートの陰線及び四値同時線のロウソク足を示す図である。
【図４】本発明である株価等の相場変動予測を可能にする市場分析用チャートを有する装置の市場分析用チャートの形状等を変えたロウソク足を示す図である。
【図５】本発明である株価等の相場変動予測を可能にする市場分析用チャートを有する装置の市場分析用チャートをバーチャートにより示す図である。
【図６】本発明である株価等の相場変動予測を可能にする市場分析用チャートを有する装置の市場分析用チャートのシステムの構成を示す概要図である。
【図７】本発明である株価等の相場変動予測を可能にする市場分析用チャートを有する装置の市場分析用チャートのコンピュータの構成を示すブロック図である。
【図８】本発明である株価等の相場変動予測を可能にする市場分析用チャートを有する装置の市場分析用チャートの流れを示すフローチャートである。
【図９】従来のロウソク足チャートを示す図である。
【図１０】従来のバーチャートを示す図である。
【手続補正６】
【補正対象書類名】明細書
【補正対象項目名】０１０８
【補正方法】変更
【補正の内容】
【０１０８】
１        市場分析用チャート
１ａ      市場分析用チャート
２        株価等の相場変動予測を可能にする市場分析用チャートを有する装置
３        チャート
３ａ      価格
３ｂ      時間
３ｃ      価格変動
４        ロウソク足
４ａ      陽線のロウソク足
４ｂ      陽線のロウソク足
４ｃ      陽線のロウソク足
４ｄ      同時線のロウソク足
４ｅ      陰線のロウソク足
４ｆ      陰線のロウソク足
４ｇ      陰線のロウソク足
４ｈ      四値同時線のロウソク足
５        実体
５ａ      始値
５ｂ      終値
６        上影
６ａ      高値
６ｂ      高値の時間的位置関係
７        下影
７ａ      安値
７ｂ      安値の時間的位置関係
８        バーチャート
８ａ      陽線のバーチャート
８ｂ      陰線のバーチャート
９        陽線のロウソク足
９ａ      陰線のロウソク足
９ｂ      陽線のロウソク足
９ｃ      陰線のロウソク足
１０        実体
１０ａ      始値
１０ｂ      終値
１１        上影
１１ａ      高値
１２        下影
１２ａ      安値
１３        ロウソク足チャート
１４        陽線のロウソク足
１４ａ      陰線のロウソク足
１５        実体
１５ａ      始値
１５ｂ      終値
１６        上影
１６ａ      高値
１７        下影
１７ａ      安値
１８        バーチャート
１９        陽線のバーチャート
１９ａ      陰線のバーチャート
２０        インターネット
２０ａ      中央演算処理装置
２０ｂ      記憶装置
２０ｃ      入出力装置
２０ｄ      インタフェース
２１        サーバ
２１ａ      データベース
２２        クライアント
２３        要求
２４        処理
２４ａ      要求受付
２４ｂ      データ取得
２４ｃ      要素計算
２４ｄ      画面情報作成
２５        返送
２６        表示
２６ａ      画面情報取得
２６ｂ      ブラウザ表示
２６ｃ      更新要求
【手続補正７】
【補正対象書類名】図面
【補正対象項目名】図４
【補正方法】変更
【補正の内容】
【図４】
2006072923.tif 000013
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
縦軸には価格を、横軸には年、四半期、月、週、日、時、分、秒単位の時間を取り、長方形状の実体の中央上下に縦棒状の上影及び下影を設け前記実体の色を白抜きにした陽線のロウソク足及び前記実体の色を黒塗りにした陰線のロウソク足を時系列に配置することにより市場価格の始値、終値、高値及び安値を示し、前記上影及び下影の先端を左側又は右側に直角に折り曲げることにより高値の時間的位置関係及び安値の時間的位置関係を表現した市場分析用チャートを保存するとともに市場価格の情報を蓄積するデータベースを有する記憶装置、前記記憶装置にデータを入力したり出力したりする入出力装置、前記記憶装置又は入出力装置と外部機器とのデータのやり取りを行うインタフェース及び前記記憶装置にあるデータの演算処理をするとともに前記記憶装置及び前記インタフェースの実行制御を行う中央処理装置とからなるサーバと、前記サーバで作成した市場分析用チャートを保存する記憶装置、前記記憶装置にデータを入力したり出力したりする入出力装置、前記記憶装置又は入出力装置と外部機器とのデータのやり取りを行うインタフェース、前記記憶装置にあるデータの演算処理又は前記記憶装置及びインタフェースの実行制御を行う中央処理装置からなるクライアントとからなり、前記サーバと前記クライアントとをインターネットを介して接続し、前記サーバの市場分析用チャートを前記クライアントの画面に出力するようにしたことを特徴とする株価等の相場変動予測を可能にする市場分析用チャートを有する装置。
【請求項２】
陽線のロウソク足及び陰線のロウソク足の上影と下影を異なる方向に傾けることにより高値の時間的位置関係及び安値の時間的位置関係を表現した市場分析用チャートであることを特徴とする請求項１に記載の株価等の相場変動予測を可能にする市場分析用チャートを有する装置。
【請求項３】
陽線のロウソク足及び陰線のロウソク足の上影と下影を異なる色若しくは異なる線種にすることにより高値の時間的位置関係及び安値の時間的位置関係を表現した市場分析用チャートであることを特徴とする請求項１に記載の株価等の相場変動予測を可能にする市場分析用チャートを有する装置。
【請求項４】
陽線のロウソク足と陰線のロウソク足とを実体の色又は塗り潰しパターンを変えることにより区別した市場分析用チャートであることを特徴とする請求項１に記載の株価等の相場変動予測を可能にする市場分析用チャートを有する装置。
【請求項５】
陽線のロウソク足及び陰線のロウソク足の実体の色又は塗り潰しパターンを変えることにより高値の時間的位置関係及び安値の時間的位置関係を表現した市場分析用チャートであることを特徴とする請求項１に記載の株価等の相場変動予測を可能にする市場分析用チャートを有する装置。
【手続補正２】
【補正対象書類名】明細書
【補正対象項目名】全文
【補正方法】変更
【補正の内容】
【発明の詳細な説明】
【技術分野】
【０００１】
本発明は、株価、為替又は商品先物等の相場の変動を予測するための市場分析用チャートに関する発明である。
【背景技術】
【０００２】
株価、為替又は商品先物等の取引において、始値、終値、高値及び安値等の相場情報を把握することは重要であり、相場情報をグラフ化した市場分析用チャートとして、ロウソク足チャートやバーチャート等がある。
【０００３】
図９は、従来のロウソク足チャートを示す図であり、図１０は、従来のバーチャートを示す図である。ロウソク足チャート及びバーチャートは、価格変動を時系列で表したものであり、投資家や証券業者が市場動向を予測する際に利用している。
【０００４】
図９に示すように、ロウソク足チャート１３は、縦軸に価格３ａ、横軸に時間３ｂを取り、単位時間ごとに陽線のロウソク足１４又は陰線のロウソク足１４ａを配置したグラフである。尚、時間３ｂは、年、四半期、月、週、日、時、分又は秒などの単位に変更することができる。
【０００５】
陽線のロウソク足１４及び陰線のロウソク足１４ａは、長方形状の実体１５の中央上下に縦棒状の上影１６及び下影１７を設けた形状である。尚、実体１５は肉、上影１６又は下影１７はひげと称されることもある。
【０００６】
陽線のロウソク足１４は、実体１５が一般的に白であり、始値１５ａよりも終値１５ｂが高い場合に使用する。また、陰線のロウソク足１４ａは、実体１５が一般的に黒であり、始値１５ａよりも終値１５ｂが低い場合に使用する。尚、実体１５の色は、陽線のロウソク足１４及び陰線のロウソク足１４ａ共に変更する場合もある。
【０００７】
陽線のロウソク足１４の場合、実体１５の下辺が始値１５ａとなり、上辺が終値１５ｂとなる。また、陰線のロウソク足１４ａの場合、実体１５の上辺が始値１５ａとなり、下辺が終値１５ｂとなる。更に、上影１６の上端が高値１６ａとなり、下影１７の下端が安値１７ａとなる。
【０００８】
陽線のロウソク足１４又は陰線のロウソク足１４ａは、時間３ｂごとに始値１５ａ、終値１５ｂ、高値１６ａ及び安値１７ａの価格３ａを示すように配置される。実体１５の高さや上影１６又は下影１７の長さなどから、市場価格の変動を予測することができる。
【０００９】
その他に、始値１５ａと終値１５ｂが同値で、実体１５の高さがない同時線となる場合や、高値１６ａと始値１５ａ又は終値１５ｂが同値で上影１６がなくなる場合や、安値１７ａと始値１５ａ又は終値１５ｂが同値で下影１７がなくなる場合もある。
【００１０】
図１０に示すように、バーチャート１８は、縦軸に価格３ａ、横軸に時間３ｂを取り、単位時間ごとに陽線のバーチャート１９又は陰線のバーチャート１９ａを配置したグラフである。尚、ロウソク足チャート１３と同様、時間３ｂは、年、四半期、月、週、日、時、分又は秒などの単位に変更することができる。
【００１１】
陽線のバーチャート１９及び陰線のバーチャート１９ａは、縦棒状の実体１５を始値１５ａの位置で直角に左に折り曲げ、終１５ｂの位置で直角に右に折り曲げた形状で、上の折り曲げ位置には縦棒状の上影１６を設け、下の折り曲げ位置には縦棒状の下影１７を設ける。
【００１２】
陽線のバーチャート１９は、始値１５ａよりも終値１５ｂが高い場合であり、実体１５の下部が左に曲がり、上部が右に曲がる。また、陰線のバーチャート１９ａは、始値１５ａよりも終値１５ｂが低い場合であり、実体１５の上部が左に曲がり、下部が右に曲がる。更に、上影１６の上端が高値１６ａとなり、下影１７の下端が安値１７ａとなる。
【００１３】
陽線のバーチャート１９及び陰線のバーチャート１９ａも、時間３ｂごとに始値１５ａ、終値１５ｂ、高値１６ａ及び安値１７ａの価格３ａを示すように配置される。実体１５の高さや上影１６又は下影１７の長さなどから市場価格の変動を予測することができる。
【００１４】
その他に、始値１５ａと終値１５ｂが同値で、実体１５の高さがない同時線となる場合や、高値１６ａと始値１５ａ又は終値１５ｂが同値で上影１６がなくなる場合や、安値１７ａと始値１５ａ又は終値１５ｂが同値で下影１７がなくなる場合があるのは、ロウソク足チャート１３と同様である。
【００１５】
特許文献１、特許文献２又は特許文献３に記載の発明のように、一定期間内において、どの価格帯でどれだけ活発に取引されたかを一見して分かるようにした金融市場における活動をグラフ化する方法という発明等も公開されている。
【特許文献１】特開２００２−１８３４６５号公報
【特許文献２】特開２００２−０９２３２９号公報
【特許文献３】特開平０８−０８７５５０号公報
【発明の開示】
【発明が解決しようとする課題】
【００１６】
しかしながら、一般的に使用されているロウソク足チャートやバーチャートでは、高値と安値の数値は把握できるが、高値と安値のどちらが先に記録されたかなど時間的位置関係までを把握することはできない。
【００１７】
そこで、本発明である株価等の相場変動予測を可能にする市場分析用チャートを有する装置は、株価、為替又は商品先物等の相場の変動を示すチャートに関して、高値と安値の時間的位置関係を一見して把握することができるようにした市場分析用チャートを提供することを目的とするものである。
【課題を解決するための手段】
【００１８】
本発明は、上記の課題を解決するために、縦軸には価格を、横軸には年、四半期、月、週、日、時、分、秒単位の時間を取り、長方形状の実体５の中央上下に縦棒状の上影６及び下影７を設け前記実体５の色を白抜きにした陽線のロウソク足４ａ及び前記実体５の色を黒塗りにした陰線のロウソク足４ｅを時系列に配置することにより市場価格の始値５ａ、終値５ｂ、高値６ａ及び安値７ａを示し、前記上影６及び下影７の先端を左側又は右側に直角に折り曲げることにより高値６ａの時間的位置関係及び安値７ａの時間的位置関係を表現した市場分析用チャート１を保存するとともに市場価格の情報を蓄積するデータベースを有する記憶装置２０ｂ、前記記憶装置２０ｂにデータを入力したり出力したりする入出力装置２０ｃ、前記記憶装置２０ｂ又は入出力装置２０ｃと外部機器とのデータのやり取りを行うインタフェース２０ｄ及び前記記憶装置２０ｂにあるデータの演算処理をするとともに前記記憶装置２０ｂ及び前記インタフェース２０ｄの実行制御を行う中央処理装置とからなるサーバ２１と、前記サーバ２１で作成した市場分析用チャート１２を保存する記憶装置２０ｂ、前記記憶装置にデータを入力したり出力したりする入出力装置２０ｃ、前記記憶装置２０ｂ又は入出力装置２０ｃと外部機器とのデータのやり取りを行うインタフェース２０ｄ、前記記憶装置２０ｂにあるデータの演算処理又は前記記憶装置２０ｂ及びインタフェース２０ｄの実行制御を行う中央処理装置２０ａからなるクライアント２２とからなり、前記サーバ２１と前記クライアント２２とをインターネット２０を介して接続し、前記サーバ２の市場分析用チャート１を前記クライアント２２の画面に出力するようにしたことを特徴とする株価等の相場変動予測を可能にする市場分析用チャートを有する装置の構成とした。
【発明の効果】
【００１９】
本発明である株価等の相場変動予測を可能にする市場分析用チャートを有する装置は、以上の構成であるから以下の効果が得られる。第１に、高値及び安値の時間的位置関係を一見して把握することができるようになる。始値、終値、高値及び安値だけでなく、高値及び安値の時間的位置関係を把握することが、市場価格の変動を予測する上では重要である。
【００２０】
第２に、単位期間内における市場価格の変動を視覚的に、かつ詳細に把握することができるため、高度な市場分析用ツールを使用していない一般投資家や初心者であっても、市場価格の変動を容易に予測することができる。
【００２１】
第３に、従来のチャートパターンを、より詳細に分類し分析することができるので、一般投資家や初心者だけでなく、投資の熟練者や専門家に至るまで、相場の転換点や買い時又は売り時等について、より確実な予測が可能となる。
【発明を実施するための最良の形態】
【００２２】
高値と安値のどちらが先に記録されたかなどを把握するために、ロウソク足の上影及び下影に向きを与えることで、時間的位置関係を表現した。
【実施例１】
【００２３】
以下に、添付図面に基づいて、本発明である株価等の相場変動予測を可能にする市場分析用チャートを有する装置の市場分析用チャートについて詳細に説明する。図１は、本発明である株価等の相場変動予測を可能にする市場分析用チャートを有する装置の市場分析用チャートをロウソク足により示す図である。
【００２４】
市場分析用チャート１は、長方形状の実体５の中央上下に縦棒状の上影６及び下影７を設け、前記実体５の色を白抜きにした陽線のロウソク足４ａ、４ｂ、４ｃ及び前記実体５の色を黒塗りにした陰線のロウソク足４ｅ、４ｆ、４ｇを、時系列に配置することにより市場価格の始値５ａ、終値５ｂ、高値６ａ及び安値７ａを見ることのできるチャート３であり、前記上影６及び下影７の先端を左側又は右側に直角に折り曲げることにより高値の時間的位置関係６ｂ及び安値の時間的位置関係７ｂを表現したことを特徴とする。
【００２５】
市場分析用チャート１は、縦軸に価格３ａ及び横軸に時間３ｂを取り、単位時間ごとにロウソク足４を配置したチャート３であり、価格変動を時系列で表現してあり、視覚的に分かりやすく確認することができる。
【００２６】
市場分析用チャート１は、銘柄ごとに作成されるが、価格３ａは、銘柄ごとに表示するのに適した範囲及び幅に設定することができる。図１では、範囲が３００円から８００円であり、幅が１００円単位であるが、価格３ａの範囲及び幅は、自由に変更することができる。
【００２７】
また、図１においては、時間３ｂは年単位に区切られ、一つのロウソク足４が一ヶ月分を表しているが、時間３ｂの時系列は、年、四半期、月、週、日、時、分、秒などの単位に、自由に変更して表示することができる。
【００２８】
一つのロウソク足４からは、市場価格の始値５ａ、終値５ｂ、高値６ａ及び安値７ａの各情報を得ることができ、複数のロウソク足４を並べることにより、一定期間における市場価格の変動を把握することができる。
【００２９】
例えば、図１に示すように、一つのロウソク足４が一ヶ月分を表している場合、一ヶ月における始値５ａ、終値５ｂ、高値６ａ及び安値７ａが示され、１２ヶ月分並べることにより、一年における市場価格の変動が分かる。
【００３０】
また、一つのロウソク足４が一日分を表すようにした場合、一日における始値５ａ、終値５ｂ、高値６ａ及び安値７ａが示され、７日分並べることにより、一週間における市場価格の変動が分かる。
【００３１】
市場分析用チャート１では、高値の時間的位置関係６ｂ及び安値の時間的位置関係７ｂも示されているため、一つのロウソク足４の中で高値と安値のどちらが先に記録されたかについても把握することができる。
【００３２】
図２は、本発明である株価等の相場変動予測を可能にする市場分析用チャートを有する装置の市場分析用チャートの陽線及び同時線のロウソク足を示す図であり、図３は、本発明である株価等の相場変動予測を可能にする市場分析用チャートを有する装置の市場分析用チャートの陰線及び四値同時線のロウソク足を示す図である。
【００３３】
図２のロウソク足４のうち、符号４ａ、４ｂ、４ｃが陽線のロウソク足であり、符号４ｄが同時線のロウソク足であり、図３のロウソク足４のうち、符号４ｅ、４ｆ、４ｇが陰線のロウソク足であり、符号４ｈが四値同時線のロウソク足である。
【００３４】
陽線のロウソク足４ａ、４ｂ及び陰線のロウソク足４ｅ、４ｆは、長方形状の実体５の中央上下に縦棒状の上影６及び下影７を設けた形状であり、陽線のロウソク足４ｃ及び陰線のロウソク足４ｇは、実体５のみで上影６及び下影７が存在しない。
【００３５】
同時線のロウソク足４ｄは、上影６及び下影７は存在するが、実体５の高さがない状態であり、四値同時線のロウソク足４ｈは、実体５の高さがなく、上影６及び下影７も存在しない。
【００３６】
陽線のロウソク足４ａ、４ｂ、４ｃは、実体５の色が白抜きであり、始値５ａよりも終値５ｂが高い場合に使用する。また、陰線のロウソク足４ｅ、４ｆ、４ｇは、実体５の色が黒塗りであり、始値５ａよりも終値５ｂが低い場合に使用する。
【００３７】
実体５からは、始値５ａ及び終値５ｂを得ることができる。陽線のロウソク足４ａ、４ｂ、４ｃの場合は、実体５の下辺が始値５ａとなり、上辺が終値５ｂとなり、陰線のロウソク足４ｅ、４ｆ、４ｇの場合は、実体５の上辺が始値５ａとなり、下辺が終値５ｂとなる。同時線のロウソク足４ｄ及び四値同時線のロウソク足４ｈの場合は、始値５ａと終値５ｂが同値である。
【００３８】
上影６及び下影７からは、高値６ａ及び安値７ａを得ることができる。上影６の先端が高値６ａを示し、下影７の先端が安値７ａを示す。尚、高値６ａと始値５ａ又は終値５ｂが同値になる場合は、上影６は無くなり、安値７ａと始値５ａ又は終値５ｂが同値になる場合は下影７は無くなる。
【００３９】
図２及び図３において、陽線のロウソク足４ａ、４ｂ、陰線のロウソク足４ｅ、４ｆ又は同時線のロウソク足４ｄは、上影６又は下影７が共に存在するが、上影６又は下影７のいずれかが存在しない状態になる場合もある。
【００４０】
上影６の先端は、左側又は右側に直角に折り曲げてあり、高値の時間的位置関係６ｂを把握することができる。同様に、下影７の先端は、左側又は右側に直角に折り曲げてあり、安値の時間的位置関係７ｂを把握することができる。
【００４１】
高値の時間的位置関係６ｂが左側で、安値の時間的位置関係７ｂが右側である場合は、高値６ａが安値７ａよりも先に記録されたことを示し、高値の時間的位置関係６ｂが右側で、安値の時間的位置関係７ｂが左側である場合は、安値７ａが高値６ａよりも先に記録されたことを示す。
【００４２】
尚、上影６又は下影７のどちらか一方がない場合は、高値６ａ又は安値７ａの片方しかなく、高値及び安値の時間的位置関係６ｂ、７ｂを比較する必要はないため、他方の影は左右に曲げても曲げなくてもどちらでも良い。
【００４３】
陽線のロウソク足４ａの場合、高値の時間的位置関係６ｂが右側で、安値の時間的位置関係７ｂが左側であるため、価格変動３ｃは、始値５ａである実体５の下辺の位置から始まり、安値７ａを記録した後、高値６ａを記録し、終値５ｂである実体５の上辺の位置で終わる。
【００４４】
陽線のロウソク足４ｂの場合、高値の時間的位置関係６ｂが左側で、安値の時間的位置関係７ｂが右側であるため、価格変動３ｃは、始値５ａである実体５の下辺の位置から始まり、高値６ａを記録した後、安値７ａを記録し、終値５ｂである実体５の上辺の位置で終わる。
【００４５】
陽線のロウソク足４ｃの場合、価格変動３ｃは、始値５ａである実体５の下辺の位置から始まり、終値５ｂである実体５の上辺の位置で終わる。始値５ａと安値７ａが同値で、終値５ｂと高値６ａが同値となる。
【００４６】
同時線のロウソク足４ｄの場合、高値の時間的位置関係６ｂが右側で、安値の時間的位置関係７ｂが左側であるため、価格変動３ｃは、始値５ａから始まり、安値７ａを記録した後、高値６ａを記録し、終値５ｂが始値５ａと同じ位置で終わる。
【００４７】
陰線のロウソク足４ｅの場合、高値の時間的位置関係６ｂが左側で、安値の時間的位置関係７ｂが右側であるため、価格変動３ｃは、始値５ａである実体５の上辺の位置から始まり、高値６ａを記録した後、安値７ａを記録し、終値５ｂである実体５の下辺の位置で終わる。
【００４８】
陰線のロウソク足４ｆの場合、高値の時間的位置関係６ｂが右側で、安値の時間的位置関係７ｂが左側であるため、価格変動３ｃは、始値５ａである実体５の上辺の位置から始まり、安値７ａを記録した後、高値６ａを記録し、終値５ｂである実体５の下辺の位置で終わる。
【００４９】
陰線のロウソク足４ｇの場合、価格変動３ｃは、始値５ａである実体５の上辺の位置から始まり、終値５ｂである実体５の下辺の位置で終わる。始値５ａと高値６ａが同値で、終値５ｂと安値７ａが同値となる。
【００５０】
四値同時線のロウソク足４ｈの場合、価格変動３ｃは、始値５ａから始まり、変動が全くないまま、終値５ｂが始値５ａと同じ位置で終わる。始値５ａ、終値５ｂ、高値６ａ及び安値７ａが全て同値となる。
【００５１】
高値の時間的位置関係６ｂと安値の時間的位置関係７ｂとは、どちらが先かを示すため、必ず逆方向となる。また、高値６ａと安値７ａの時間的位置関係を示すだけであり、図２及び図３に示す価格変動３ｃのように滑らかな曲線になるとは限らない。
【００５２】
実体５の高さ、上影６及び下影７の長さは、始値５ａ、終値５ｂ、高値６ａ及び安値７ａの状態により変動するが、高値の時間的位置関係６ｂ及び安値の時間的位置関係７ｂについては、向きを示すだけであるため、長さは特に規定はしない。
【実施例２】
【００５３】
図４は、本発明である株価等の相場変動予測を可能にする市場分析用チャートを有する装置の市場分析用チャートの形状等を変えたロウソク足を示す図である。ロウソク足４は、図２又は図３に示した以外の形状又は色を使用した場合でも、同様の表現をすることができる。
【００５４】
陽線のロウソク足９又は陰線のロウソク足９ａでは、上影１１及び下影１２を異なる方向に傾けることにより時間的位置関係を表現し、陽線のロウソク足９ｂ又は陰線のロウソク足９ｃでは、上影１１及び下影１２を異なる線種にすることにより時間的位置関係を表現する。尚、上影１１の上端が高値１１ａを示し、下影１２の下端が安値１２ａを示すのは同様である。
【００５５】
上影１１及び下影１２を斜線にしても、上影１１又は下影１２の高さを得ることができ、また、左側又は右側のどちらに傾いているかで、高値１１ａと安値１２ａのどちらが先に記録されたかも分かる。
【００５６】
同様に、上影１１及び下影１２の線種を変えても、上影１１又は下影１２の高さを得ることができ、また、点線の場合が先で、実線の場合が後のように決めておけば、高値１１ａと安値１２ａのどちらが先に記録されたかも分かる。
【００５７】
また、陽線のロウソク足９、９ｂと陰線のロウソク足９ａ、９ｃとを、実体１０の色を変える又は塗り潰しパターンを変えることにより区別することができる。尚、陽線のロウソク足９、９ｂの場合は、下辺が始値１０ａ、上辺が終値１０ｂを示し、陰線のロウソク足９ａ、９ｃの場合は、上辺が始値１０ａ、下辺が終値１０ｂを示すのは同様である。
【００５８】
例えば、陽線のロウソク足９の実体１０を点で塗り潰し、陰線のロウソク足９ａの実体１０を斜線で塗り潰すことで、陽線のロウソク足９と陰線のロウソク足９ａとを区別する。また、陽線のロウソク足９ｂの実体１０を青色、陰線のロウソク足９ｃの実体１０を赤色にすることで、陽線のロウソク足９ｂと陰線のロウソク足９ｃとを区別する。
【００５９】
更に、実体１０の色を変える又は塗り潰しパターンを変えることにより、陽線のロウソク足９、９ｂと陰線のロウソク足９ａ、９ｃとの区別だけでなく、高値の時間的位置関係６ｂ及び安値の時間的位置関係７ｂを表現することもできる。
【００６０】
例えば、陽線のロウソク足９、９ｂの実体１０を薄い青色で塗った場合は、高値１１ａより安値１２ａが先に記録されたものとし、陽線のロウソク足９、９ｂの実体１０を濃い青色で塗った場合は、安値１２ａより高値１１ａが先に記録されたものとすることもできる。
【００６１】
また同様に、陰線のロウソク足９ａ、９ｃの実体１０を薄い赤色で塗った場合は、高値１１ａより安値１２ａが先に記録されたものとし、陰線のロウソク足９ａ、９ｃの実体１０を濃い赤色で塗った場合は、安値１２ａより高値１１ａが先に記録されたものとすることもできる。
【００６２】
陽線のロウソク足９の価格変動としては、上影１１が右側に傾き、下影１２が左側に傾いているので、始値１０ａである実体１０の下辺の位置から始まり、先に安値１２ａを記録し、その後高値１１ａを記録して、終値１０ｂである実体１０の上辺の位置で終わる。
【００６３】
陰線のロウソク足９ａの価格変動としては、上影１１が左側に傾き、下影１２が右側に傾いているので、始値１０ａである実体１０の上辺の位置から始まり、先に高値１１ａを記録し、その後安値１２ａを記録して、終値１０ｂである実体１０の下辺の位置で終わる。
【００６４】
陽線のロウソク足９ｂの価格変動としては、上影１１が実線で、下影１２が点線であるので、始値１０ａである実体１０の下辺の位置から始まり、先に安値１２ａを記録し、その後高値１１ａを記録して、終値１０ｂである実体１０の上辺の位置で終わる。
【００６５】
陰線のロウソク足９ｃの価格変動としては、上影１１が点線で、下影１２が実線であるので、始値１０ａである実体１０の上辺の位置から始まり、先に高値１１ａを記録し、その後安値１２ａを記録して、終値１０ｂである実体１０の下辺の位置で終わる。
【実施例３】
【００６６】
図５は、本発明である株価等の相場変動予測を可能にする市場分析用チャートを有する装置の市場分析用チャートをバーチャートにより示す図である。市場分析用チャート１ａは、市場分析用チャート１と同様、縦軸に価格３ａ及び横軸に時間３ｂを取り、単位時間ごとにバーチャート８を配置したチャート３である。
【００６７】
市場分析用チャート１ａは、市場分析用チャート１における陽線のロウソク足４ａ、４ｂ、４ｃを陽線のバーチャート８ａに代え、陰線のロウソク足４ｅ、４ｆ、４ｇを陰線のバーチャート８ｂに代えたものであり、視覚的に若干異なるが、示す内容は市場分析用チャート１と同じである。
【００６８】
陽線のバーチャート８ａ及び陰線のバーチャート８ｂは、縦棒状の実体５を始値５ａの位置で直角に左に折り曲げ、終値５ｂの位置で直角に右に折り曲げた形状で、上の折り曲げ位置には縦棒状の上影６を設け、下の折り曲げ位置には縦棒状の下影７を設ける。尚、同時線又は四値同時線となる場合のバーチャート８は、ロウソク足４の場合と同じ形状になる。
【００６９】
陽線のバーチャート８ａは、始値５ａよりも終値５ｂが高い場合であり、実体５の下部が左の曲がり、上部が右に曲がる。また、陰線のバーチャート８ｂは、始値５ａよりも終値５ｂが低い場合であり、実体５の上部が左の曲がり、下部が右に曲がる。更に、上影６の上端が高値６ａとなり、下影７の下端が安値７ａとなる。
【００７０】
上影６の先端は、左側又は右側に直角に折り曲げてあり、高値の時間的位置関係６ｂを把握することができる。同様に、下影７の先端は、左側又は右側に直角に折り曲げてあり、安値の時間的位置関係７ｂを把握することができる。
【００７１】
陽線のバーチャート８ａの場合、高値の時間的位置関係６ｂが左側で、安値の時間的位置関係７ｂが右側であるため、価格変動は、図２の陽線のロウソク足４ｂと同様、始値５ａである実体５の下辺の位置から始まり、高値６ａを記録した後、安値７ａを記録し、終値５ｂである実体５の上辺の位置で終わる。
【００７２】
陰線のバーチャート８ｂの場合、高値の時間的位置関係６ｂが右側で、安値の時間的位置関係７ｂが左側であるため、価格変動は、図３の陰線のロウソク足４ｆと同様、始値５ａである実体５の上辺の位置から始まり、安値７ａを記録した後、高値６ａを記録し、終値５ｂである実体５の下辺の位置で終わる。
【実施例４】
【００７３】
図６は、本発明である株価等の相場変動予測を可能にする市場分析用チャートを有する装置の構成を示す概要図であり、図７は、本発明である株価等の相場変動予測を可能にする市場分析用チャートを有する装置のコンピュータの構成を示すブロック図であり、図８は、本発明である株価等の相場変動予測を可能にする市場分析用チャートを有する装置の流れを示すフローチャートである。
【００７４】
本発明である株価等の相場変動予測を可能にする市場分析用チャートを有する装置の市場分析用チャート１におけるチャート３は、インターネット２０を介して、クライアント２２のコンピュータからの要求２３に対し、サーバ２１の中央演算処理装置２０ａがデータベース２１ａから情報を取得して処理２４した結果を返送２５することで、クライアント２２のコンピュータに表示２６される一連の手段により実現されることを特徴とする。
【００７５】
図６に示すように、本願発明である市場分析用チャート１を有する株価等の相場変動予測を可能にする市場分析用チャートを有する装置２は、市場分析用チャート１を提供するサーバ２１のコンピュータと、市場分析用チャート１を利用する複数のクライアント２２のコンピュータをインターネット２０を介して接続したものとなる。
【００７６】
インターネット２０は、複数のコンピュータネットワークを相互に接続して、全体として一つのネットワークを構築したものであり、インターネット技術を利用した組織内ネットワーク（イントラネット）なども含むものとする。
【００７７】
サーバ２１のコンピュータは、データベース２１ａを有し、データベース２１ａに蓄積される市場価格の情報はリアルタイムに更新される。また、市場分析用チャート１自体も存在し、データベース２１ａの情報を元に処理２４が行われる。
【００７８】
クライアント２２のコンピュータは、一般的なコンピュータを利用することができ、市場分析用チャート１がブラウザにより表示２６される。尚、ブラウザとは、インターネット上の情報を閲覧するためのソフトウェアであり、専用のソフトウェアを利用して表示する場合も含むものとする。
【００７９】
サーバ２１は、クライアント２２を兼ねることも可能であり、一台のコンピュータだけで使用する場合は、インターネット２０を介することなく、市場分析用チャート１を利用することもできる。
【００８０】
市場分析用チャート１の流れは、クライアント２２からの要求２３、サーバ２１における処理２４、サーバ２１からの返送２５及びクライアント２２における表示２６の手段からなるが、詳細は図８において説明する。
【００８１】
図７に示すように、サーバ２１のコンピュータもクライアント２２のコンピュータも、一般的なコンピュータと同様、中央演算処理装置２０ａ、記憶装置２０ｂ、入出力装置２０ｃ及びインタフェース２０ｄ等からなる。
【００８２】
中央演算処理装置２０ａ（ＣＰＵ）は、記憶装置２０ｂにあるデータに対して演算処理をしたり、プログラムの実行制御を行う。また、インタフェース２０ｄを介して、入出力装置２０ｃなど他の装置に対する制御も行う。
【００８３】
記憶装置２０ｂには、作業領域となる主記憶装置と保存領域となる補助記憶装置とがある。主記憶装置は、一時的な記憶領域であり、実行するプログラムやデータなどを読み込んだり、作成した市場分析用チャート１を一時保存したりする。
【００８４】
補助記憶装置は、ハードディスク等であり、市場分析用チャート１を実行するために必要となるプログラムやデータなどが保存される。サーバ２１の側には、市場価格の情報を蓄積するデータベース２１ａも存在する。
【００８５】
入出力装置２０ｃのうち、入力装置は、キーボードやマウス等であり、出力装置は、ディスプレイやプリンタ等である。入出力装置２０ｃは、通常外部機器を使用するため、インタフェース２０ｄを介して制御される。
【００８６】
インタフェース２０ｄは、コンピュータ同士又はコンピュータと周辺機器を接続し、データなどのやり取りを行う装置である。サーバ２１及びクライアント２２は、モデムやローカルエリアネットワーク（ＬＡＮ）などのインタフェース２０ｄを利用して、インターネット２０に接続する。
【００８７】
入出力装置２０ｃから入力したデータを記憶装置２０ｂに保存したり、記憶装置２０ｂのデータを入出力装置２０ｃから出力する際は、中央演算処理装置２０ａがインタフェース２０ｄを介して、各装置を制御することにより行われる。
【００８８】
図８に示すように、本発明である株価等の相場変動予測を可能にする市場分析用チャートを有する装置の流れは、クライアント２２からの要求２３、サーバ２１における処理２４、サーバ２１からの返送２５及びクライアント２２における表示２６の手段からなる。
【００８９】
処理２４は、更に、要求受付２４ａ、データ取得２４ｂ、要素計算２４ｃ及び画面情報作成２４ｄの手段からなり、表示２６は、更に、画面情報取得２６ａ、ブラウザ表示２６ｂ及び更新要求２６ｃの手段からなる。
【００９０】
要求２３では、市場分析用チャート１を表示するのに必要な条件を指定して、サーバ２１に送る。指定する条件としては、対象とする銘柄、一つのロウソク足４が示す単位時間又は全体として表示する期間などがある。
【００９１】
要求受付２４ａでは、クライアント２２から出された要求２３を、サーバ２１で受け取る。サーバ２１に対し、クライアント２２は複数存在するが、同時に要求２３を受けても各々に対して処理２４をすることができる。
【００９２】
データ取得２４ｂでは、要求２３で指定した条件に合うデータをデータベース２１ａから抽出する。データは市場価格に関する情報であり、全体として表示する期間内の価格を全て取得しておく。
【００９３】
要素計算２４ｃでは、取得したデータに対し、必要に応じて計算を行う。市場価格の情報は、一定時間ごとにデータベース２１ａに蓄積されていくので、一つのロウソク足４が示す単位時間内のデータを集計して高値６ａ又は安値７ａなどを算出する。
【００９４】
画面情報作成２４ｄでは、要素計算２４ｃした結果を視覚的に表現するために編集し、ブラウザに対応した形式で市場分析用チャート１を作成する。チャート３は、価格３ａ及び時間３ｂを最適な範囲とし、ロウソク足４を配置する。
【００９５】
返送２５では、サーバ２１において作成した市場分析用チャート１を、要求２３を出したクライアント２２に送り返す。要求２３に対して返送２５を行うため、別のクライアント２２にも返送２５されるということはない。
【００９６】
画面情報取得２６ａでは、サーバ２１から返送２５された市場分析用チャート１を、クライアント２２で受け取る。尚、要求２３から表示２６までは一連の手順であるため、表示２６を行うためには、要求２３を行ったブラウザが起動していることが必要である。
【００９７】
ブラウザ表示２６ｂでは、市場分析用チャート１をクライアント２２の画面に出力する。尚、要求２３で条件に不備があった場合、又は処理２４で異常終了した場合には、その旨を示す内容を出力する。
【００９８】
更新要求２６ｃでは、一定時間ごとに要求２３で指定したのと同じ条件で処理２４をし直し、表示２６を最新の状態に更新する。市場価格の情報は常に最新のものであることが望ましいためである。
【００９９】
要求２３、処理２４、返送２５及び表示２６の各手段を、図７のコンピュータの構成と併せて説明する。尚、表示２６の手段における更新要求２６ｃは、要求２３の手段と同様の内容となる。
【０１００】
要求２３の手段は、クライアント２２の入出力装置２０ｃから入力した条件を、クライアント２２の中央演算処理装置２０ａがクライアント２２のインタフェース２０ｄからインターネット２０を介してサーバ２１に送ることにより実現される。
【０１０１】
処理２４の手段は、サーバ２１のインタフェース２０ｄから受け取った要求２３を元に、サーバ２１の中央演算処理装置２０ａがサーバ２１の記憶装置２０ｂにあるデータベース２１ａを検索してデータを抽出し、更にサーバ２１の中央演算処理装置２０ａが演算処理して市場分析用チャート１を作成することにより実現される。
【０１０２】
返送２５の手段は、サーバ２１の記憶装置２０ｂに作成された市場分析用チャート１を、サーバ２１の中央演算処理装置２０ａがサーバ２１のインタフェース２０ｄからインターネット２０を介してクライアント２２に送ることにより実現される。
【０１０３】
表示２６の手段は、クライアント２２のインタフェース２０ｄから受け取った市場分析用チャート１を、クライアント２２の中央演算処理装置２０ａがクライアント２２の入出力装置２０ｃに出力することにより実現される。
【０１０４】
以上のように、本発明である市場分析用チャート１は、高値及び安値の時間的位置関係６ｂ、７ｂを一見して把握することができるようになる。始値５ａ、終値５ｂ、高値６ａ及び安値７ａだけでなく、高値及び安値の時間的位置関係６ｂ、７ｂを把握することが、市場価格の変動を予測する上では重要である。
【０１０５】
また、単位期間内における市場価格の変動を視覚的に、かつ詳細に把握することができるため、高度な市場分析用ツールを使用していない一般投資家や初心者であっても、市場価格の変動を容易に予測することができる。
【０１０６】
更に、従来のチャートパターンを、より詳細に分類し分析することができるので、一般投資家や初心者だけでなく、投資の熟練者や専門家に至るまで、相場の転換点や買い時又は売り時等について、より確実な予測が可能となる。
【図面の簡単な説明】
【０１０７】
【図１】本発明である株価等の相場変動予測を可能にする市場分析用チャートを有する装置の市場分析用チャートをロウソク足により示す図である。
【図２】本発明である株価等の相場変動予測を可能にする市場分析用チャートを有する装置の市場分析用チャートの陽線及び同時線のロウソク足を示す図である。
【図３】本発明である株価等の相場変動予測を可能にする市場分析用チャートを有する装置の市場分析用チャートの陰線及び四値同時線のロウソク足を示す図である。
【図４】本発明である株価等の相場変動予測を可能にする市場分析用チャートを有する装置の市場分析用チャートの形状等を変えたロウソク足を示す図である。
【図５】本発明である株価等の相場変動予測を可能にする市場分析用チャートを有する装置の市場分析用チャートをバーチャートにより示す図である。
【図６】本発明である株価等の相場変動予測を可能にする市場分析用チャートを有する装置の市場分析用チャートのシステムの構成を示す概要図である。
【図７】本発明である株価等の相場変動予測を可能にする市場分析用チャートを有する装置の市場分析用チャートのコンピュータの構成を示すブロック図である。
【図８】本発明である株価等の相場変動予測を可能にする市場分析用チャートを有する装置の市場分析用チャートの流れを示すフローチャートである。
【図９】従来のロウソク足チャートを示す図である。
【図１０】従来のバーチャートを示す図である。
【符号の説明】
【０１０８】
１        市場分析用チャート
１ａ      市場分析用チャート
２        株価等の相場変動予測を可能にする市場分析用チャートを有する装置
３        チャート
３ａ      価格
３ｂ      時間
３ｃ      価格変動
４        ロウソク足
４ａ      陽線のロウソク足
４ｂ      陽線のロウソク足
４ｃ      陽線のロウソク足
４ｄ      同時線のロウソク足
４ｅ      陰線のロウソク足
４ｆ      陰線のロウソク足
４ｇ      陰線のロウソク足
４ｈ      四値同時線のロウソク足
５        実体
５ａ      始値
５ｂ      終値
６        上影
６ａ      高値
６ｂ      高値の時間的位置関係
７        下影
７ａ      安値
７ｂ      安値の時間的位置関係
８        バーチャート
８ａ      陽線のバーチャート
８ｂ      陰線のバーチャート
９        陽線のロウソク足
９ａ      陰線のロウソク足
９ｂ      陽線のロウソク足
９ｃ      陰線のロウソク足
１０        実体
１０ａ      始値
１０ｂ      終値
１１        上影
１１ａ      高値
１２        下影
１２ａ      安値
１３        ロウソク足チャート
１４        陽線のロウソク足
１４ａ      陰線のロウソク足
１５        実体
１５ａ      始値
１５ｂ      終値
１６        上影
１６ａ      高値
１７        下影
１７ａ      安値
１８        バーチャート
１９        陽線のバーチャート
１９ａ      陰線のバーチャート
２０        インターネット
２０ａ      中央演算処理装置
２０ｂ      記憶装置
２０ｃ      入出力装置
２０ｄ      インタフェース
２１        サーバ
２１ａ      データベース
２２        クライアント
２３        要求
２４        処理
２４ａ      要求受付
２４ｂ      データ取得
２４ｃ      要素計算
２４ｄ      画面情報作成
２５        返送
２６        表示
２６ａ      画面情報取得
２６ｂ      ブラウザ表示
２６ｃ      更新要求